(57)【要約】【課題】光ピックアップ装置の可動部に対物レンズを軸線方向に移動させるフォーカスサーボコイルと同対物レンズを横方向に移動させるトラッキングサーボコイルとを設けるとともに、さらに液晶素子を設け、この液晶素子によって屈折率の補正を行なうようにした場合における給電と可動部の支持とを同時に達成するようにした光ピックアップ装置を提供する。【解決手段】開口４３を横切るように４本のばね部材３１〜３４を備えるシート状部材４１と開口４４に４本のばね部材３５〜３８を備えるシート状部材４２とを互いにほぼ平行に上下に配し、これらのシート状部材４１、４２上にインサート成形によって固定部１１と可動部１２とを成形し、しかも可動部１２上に対物レンズ１６、フォーカスサーボコイル２１、トラッキングサーボコイル２２、２３、および液晶素子２４をマウントする。【選択図】  図３
2005004826.tif 000002
【特許請求の範囲】
【請求項１】
ディスク状記録媒体の記録面上に光ビームを集光させるための対物レンズを備えた可動部を、ばね部材を介して固定部によって弾性的に支持する光ピックアップ装置において、
同一平面上に３本以上の前記ばね部材を配したことを特徴とする光ピックアップ装置。
【請求項２】
前記ディスク状記録媒体の記録面とほぼ平行な平面に３本以上の前記ばね部材を配したことを特徴とする請求項１に記載の光ピックアップ装置。
【請求項３】
前記ばね部材はその両端が可動部の少なくとも一部と前記固定部とに一体成形により取付けられ、成形時にインサートされる金属製のシート状部材１枚毎に同一平面上において３本以上の前記ばね部材が同時に取付けられることを特徴とする請求項１に記載の光ピックアップ装置。
【請求項４】
前記可動部に前記ディスク状記録媒体上に照射される光の屈折率を補正する屈折率補正手段が設けられることを特徴とする請求項１に記載の光ピックアップ装置。
【請求項５】
前記屈折率補正手段が液晶素子から構成され、前記ディスク状記録媒体の表面において発生する波面収差を補正することを特徴とする請求項１に記載の光ピックアップ装置。
【請求項６】
前記可動部が６本以上のばね部材によって弾性的に支持されるとともに、前記可動部に前記対物レンズを光軸方向および前記ディスク状記録媒体の半径方向に移動調整する移動調整手段を備え、前記移動調整手段および前記液晶素子への給電を前記ばね部材によって行なうことを特徴とする請求項５に記載の光ピックアップ装置。
【請求項７】
前記対物レンズを軸線方向に移動調整する移動調整手段がフォーカスサーボコイルであることを特徴とする請求項６に記載の光ピックアップ装置。
【請求項８】
前記対物レンズを前記ディスク状記録媒体の半径方向に移動調整する移動調整手段がトラッキングサーボコイルであることを特徴とする請求項６に記載の光ピックアップ装置。
【請求項９】
前記ディスク状記録媒体の記録面とほぼ平行な２つの平面上にそれぞれ４本のばね部材が配され、合せて８本のばね部材によって前記可動部が前記固定部に弾性的に支持されるとともに、前記８本のばね部材によってフォーカスサーボコイル、トラッキングサーボイル、および屈折率補正用の液晶素子に対する給電が行なわれることを特徴とする請求項６に記載の光ピックアップ装置。
【請求項１０】
前記液晶素子の一方のガラス基板の表面に光軸が交差する中心に対して同心円状に複数の電極が形成され、該複数の電極に対して前記ばね部材を介して異なる電圧が印加されることを特徴とする請求項６に記載の光ピックアップ装置。
【請求項１１】
開口部を横切るように３本以上のばね部材が打抜かれて形成された金属製のシート状部材の前記ばね部材に対して両側に固定部と可動部とをインサート成形し、成形後に前記シート状部材の余分の部分を切除することを特徴とする光ピックアップ装置の製造方法。
【請求項１２】
開口部を横切るように左右２本ずつ、合せて４本のばね部材が形成された前記シート状部材に前記固定部と前記可動部とをインサート成形することを特徴とする請求項１１に記載の光ピックアップ装置の製造方法。
【請求項１３】
開口部を横切るように左右２本ずつ、合せて４本のばね部材が形成された２枚の前記シート状部材を互いにほぼ平行に配し、該２枚のシート状部材の前記ばね部材に対して両側に固定部と可動部とをインサート成形し、合せて８本のばね部材によって前記可動部を前記固定部に対して弾性的に支持することを特徴とする請求項１２に記載の光ピックアップ装置の製造方法。
【発明の詳細な説明】
【０００１】
【発明の属する技術分野】
本発明は光ピックアップ装置とその製造方法に係り、とくにディスク状記録媒体の記録面上に光ビームを集光させるための対物レンズを備えた可動部を、ばね部材を介して固定部によって弾性的に支持する光ピックアップ装置とその製造方法に関する。
【０００２】
【従来の技術】
ディスク状記録媒体を用いた光ディスクプレーヤは、光ピックアップを回転するディスク状記録媒体に対して半径方向に移動させながら情報の書込みあるいは読出しを行なう。ここで光ピックアップは光ディスク上に記録された情報を読出すために、その情報トラックと光ピックアップの対物レンズとの間の光スポットのフォーカス制御機能と、光ディスクの半径方向の情報トラックのずれに対する位置制御を行なうトラッキング制御機能とを備えている。
【０００３】
図１３はフォーカス制御機能とトラッキング制御機能とを備えた従来の光ピックアップ装置を示すものであって、ここでは対物レンズ１、フォーカスサーボコイル２、トラッキングサーボコイル３、上記サーボコイル２を巻装したボビン４を可動部５側に設けるようにしている。そして可動部５を左右２本ずつ、合計４本のばね部材６によって固定部７に弾性的に支持し、フォーカスサーボコイル２とトラッキングサーボコイル３とにそれぞれ制御電流をばね部材６を介して通ずることによって、対物レンズ１のフォーカス方向とトラッキング方向の制御を行なうようにしている。
【０００４】
また特開２００１−３１９３５３号公報には、対物レンズを保持したホルダを光ディスクに対して４本のばねワイヤにより、フォーカス方向およびトラッキング方向に駆動可能に支持するとともに、ホルダを駆動する磁気回路を、その中心を光ディスクに対して外周側にシフトして配置し、光ディスクに対して内周側に位置するばねワイヤに接着するダンピング材としてのゲル材の量を外周側に位置するばねワイヤに接着するゲル材の量より多くして内周側のばねワイヤの弾性力を抑制することにより、ホルダを光ディスクの反りによるフォーカス高さ変化に対応して対物レンズの光軸方向が光ディスクの信号記録面に対してほぼ直交するように所定の傾きを持ってフォーカス方向に駆動させるようにし、これによって光ピックアップ装置のスキュー調整を対物レンズを保持した可動側部材自体で行なうようにした光ピックアップ装置が開示されている。
【０００５】
【特許文献１】特開２００１−３１９３５３号公報
【特許文献２】特開平１０−２６９６１１号公報
【発明が解決しようとする課題】
情報信号のマルチメディア化に伴って、一度に取扱われる画像データや音響データ等の情報信号の多様化と巨大化とが要求されている。このような要求を満たすために高密度記録を実現しながら媒体自体の小型化を図った光ディスクとして、その大きさを直径が１２０ｍｍとし、ディスク基板の厚さを０．６ｍｍとした２枚の光ディスクを貼合せて全体の厚さを１．２ｍｍとするものや、０．６ｍｍの厚さの光ディスクと０．６ｍｍの厚さのディスク補強板とを貼合せて全体の厚さを１．２ｍｍとした光ディスクが知られている。これらの光ディスクは一般にＤＶＤ（Ｄｉｇｉｔａｌ  Ｖｅｒｓａｔｉｌｅ  Ｄｉｓｃ）と称される。すなわちこのＤＶＤは、信号記録面である反射面が、一方の信号読取り面の表面から厚み方向であって内方に０．６ｍｍの位置に形成される。
【０００６】
さらにディスクの傾き量による許容範囲を狭めずに高記録密度化をさらに実現する光ディスクとして、直径が１２０ｍｍであって、０．１ｍｍの厚さの光ディスクと、１．１ｍｍの厚さのディスク補強板とを貼合せて全体の厚さを１．２ｍｍとした光ディスクが提案されている。この光ディスクは高記録密度ディスクと言われている。すなわちこの高記録密度ディスクは、信号記録面である反射面が、一方の信号読取り面の表面から内方に０．１ｍｍの位置に形成される。
【０００７】
このような高記録密度ディスクから情報信号を再生する光ピックアップ装置は、開口数ＮＡを０．７以上に設定した対物レンズを有する。例えば光軸を互いに一致させて設けられた２枚のレンズを有する２群対物レンズを備えるようにしている。この２群対物レンズ部は、高記録密度ディスクに臨む側に位置して配された第１のレンズである先玉レンズと、この第１のレンズに光軸を一致させて配設された第２のレンズである後玉レンズとを有しており、上記第１のレンズおよび第２のレンズによって開口数ＮＡを０．７以上に実現している。
【０００８】
上述したような仕様が異なるＣＤ、ＣＤ−Ｒ、ＤＶＤ、高記録密度ディスクの再生をそれぞれ行なうことが可能な互換性を有する光ピックアップ装置が要望されている。上述した高記録密度ディスクから情報信号を再生する光ピックアップは、ＣＤやＤＶＤ等の他の仕様の光ディスクを再生する場合に、各光学ディスクの信号記録面のディスクの厚み方向の位置が異なることによって、球面収差や波面収差が大きく生ずるために、再生することが不可能とされている。そこでこのような収差補正手段として、例えば特開平１０−２６９６１１号公報に開示されている、液晶素子によって上記波面収差を補正することが提案されている。
【０００９】
ここで上記波面収差を補正して、信号記録面のディスクの厚み方向の位置が異なる光ディスクを再生することを可能にする光ピックアップを実現するためには、このように液晶素子を対物レンズと正確に位置合せを行なう必要がある。よって対物レンズを保持する可動部にさらに上記液晶素子を取付けることが望ましい。
【００１０】
しかしながら可動部に液晶素子を搭載すると、対物レンズを軸線方向に移動制御するフォーカスサーボコイルと対物レンズを横方向に移動調整するトラッキングサーボコイルへの給電の他に、上記液晶素子の各電極にも給電を行なう必要がある。従って図１３や特開２００１−３１９３５３号公報に開示されている光ピックアップ装置によると、ばね部材が不足し、とくに液晶素子への給電のためのフレキシブル基板等の給電手段を追加しなければならず、組立て精度が低下するとともに効率が悪くなる。またフレキシブル基板によって液晶素子への給電を行なうと、フレキシブル基板の制動力がフォーカスサーボコイルやトラッキングサーボコイルの応答性を劣化させる問題がある。
【００１１】
本発明はこのような問題点に鑑みてなされたものであって、とくに可動部上に対物レンズを光軸方向および横方向に移動調整する手段を備える光ピックアップ装置において、さらに屈折率補正手段を上記可動部に設けた場合における給電手段の増加に伴う問題点を解決し、とくに組立て精度や効率を悪化させることなく、あるいはまたフォーカスサーボコイルやトラッキングサーボコイルによる制御の応答性を悪化させないようにした光ピックアップ装置を提供することを目的とする。
【００１２】
【課題を解決するための手段】
本願の主要な発明は、
ディスク状記録媒体の記録面上に光ビームを集光させるための対物レンズを備えた可動部を、ばね部材を介して固定部によって弾性的に支持する光ピックアップ装置において、
同一平面上に３本以上の前記ばね部材を配したことを特徴とする光ピックアップ装置に関するものである。
【００１３】
ここで前記ディスク状記録媒体の記録面とほぼ平行な平面に３本以上の前記ばね部材を配することが好ましい。また前記ばね部材はその両端が可動部の少なくとも一部と前記固定部とに一体成形により取付けられ、成形時にインサートされる金属製のシート状部材１枚毎に同一平面上において３本以上の前記ばね部材が同時に取付けられることが好ましい。
【００１４】
また前記可動部に前記ディスク状記録媒体上に照射される光の屈折率を補正する屈折率補正手段が設けられることが好ましい。また前記屈折率補正手段が液晶素子から構成され、前記ディスク状記録媒体の表面において発生する波面収差を補正することが好ましい。また前記可動部が６本以上のばね部材によって弾性的に支持されるとともに、前記可動部に前記対物レンズを光軸方向および前記ディスク状記録媒体の半径方向に移動調整する移動調整手段を備え、前記移動調整手段および前記液晶素子への給電を前記ばね部材によって行なうことが好ましい。また前記対物レンズを軸線方向に移動調整する移動調整手段がフォーカスサーボコイルであることが好ましい。また前記対物レンズを前記ディスク状記録媒体の半径方向に移動調整する移動調整手段がトラッキングサーボコイルであることが好ましい。
【００１５】
また前記ディスク状記録媒体の記録面とほぼ平行な２つの平面上にそれぞれ４本のばね部材が配され、合せて８本のばね部材によって前記可動部が前記固定部に弾性的に支持されるとともに、前記８本のばね部材によってフォーカスサーボコイル、トラッキングサーボイル、および屈折率補正用の液晶素子に対する給電が行なわれることが好ましい。また前記液晶素子の一方のガラス基板の表面に光軸が交差する中心に対して同心円状に複数の電極が形成され、該複数の電極に対して前記ばね部材を介して異なる電圧が印加されることが好ましい。
【００１６】
光ピックアップ装置の製造方法に関する主要な発明は、
開口部を横切るように３本以上のばね部材が打抜かれて形成された金属製のシート状部材の前記ばね部材に対して両側に固定部と可動部とをインサート成形し、成形後に前記シート状部材の余分の部分を切除することを特徴とする光ピックアップ装置の製造方法に関するものである。
【００１７】
ここで開口部を横切るように左右２本ずつ、合せて４本のばね部材が形成された前記シート状部材に前記固定部と前記可動部とをインサート成形することが好ましい。また開口部を横切るように左右２本ずつ、合せて４本のばね部材が形成された２枚の前記シート状部材を互いにほぼ平行に配し、該２枚のシート状部材の前記ばね部材に対して両側に固定部と可動部とをインサート成形し、合せて８本のばね部材によって前記可動部を前記固定部に対して弾性的に支持することが好ましい。
【００１８】
本願に含まれる発明の好ましい態様は、光源からの出射光を光ディスクに集光するための対物レンズ系を備えた可動部と、４本以上のばね部材を介して可動部を支持する固定部を備えた光ピックアップのアクチュエータにおいて、同一平面上に３本以上のばね部材を配置することを特徴とする対物レンズ駆動装置である。さらに上記ばね部材は、その両端が可動部の一部と固定部に一体成形によって取付けられ、インサートする金属製の回路芯材１枚毎に、同一平面上の上記３本以上のばね部材が同時に成形によって取付けられることを特徴としている。
【００１９】
上記構成の対物レンズ駆動装置の可動部は、６本以上のばね部材で支持され、少なくとも対物レンズの光軸方向およびディスクの半径方向に駆動させるための２自由度以上の駆動手段を備え、上記駆動手段および液晶素子への給電をばね部材によって行なうことを特徴とする。
【００２０】
これによれば、４本以上の複数のばね部材を一体成形で作ることができるために、組立ての精度や効率が改善される。さらにインサートする回路芯材の枚数を追加して増やす必要がないために、金型構造を簡略化できる。また対物レンズの中心と液晶素子の中心の同軸度を高精度に合すことが可能になり、信号記録面のディスクの厚み方向の位置が異なる光学ディスクを再生できるようになる。
【００２１】
上記のような態様によると、対物レンズ駆動装置において、同一平面上に３本以上のばね部材を配置することにより、インサートする金属製の回路芯材１枚毎に、同一平面上に３本以上のばね部材を同時に成形することが可能になる。またばね部材の本数を多くしても金型精度が複雑にならず、安定して成形が可能となる。また一体成形によってばね部材の位置精度を出すことにより、高精度な寸法精度の要求にも対応できる。さらにはばね部材を複数配置できるために、駆動手段および液晶素子への給電をばね部材によって行なうことが可能になる。
【００２２】
【発明の実施の形態】
以下本願に含まれる発明を図示の実施の形態によって説明する。図１〜図３は本実施の形態に係る光ピックアップ装置の全体の構造を示している。この光ピックアップ装置はその基端側の固定部１１と先端側の可動部１２とを備えている。そして固定部１１にはその下面に２軸調整プレート１３が上方から螺着されるねじ１４によって固定されている。
【００２３】
これに対して固定部１３の前方側に位置する可動部１２は対物レンズ１６を備えている。対物レンズ１６はヨーク１９によって保持されている前後一対のマグネット１７、１８間に配されている。なおマグネット１７、１８を保持するヨーク１９は固定配置され、これに対して可動部１２が移動可能になっている。そして対物レンズ１６の外周側にフォーカスサーボコイル２１が配されるとともに、上記フォーカスサーボコイル２１の前方側には左右一対のトラッキングサーボコイル２２が配され、さらにフォーカスサーボコイル２１の背面側には後側の一対のトラッキングサーボコイル２３が配される。またこの光ピックアップ装置は液晶素子２４を上記対物レンズ２６の下側に備え、この液晶素子２４によって屈折率の補正を行ない、液面収差を低減するようにしている。
【００２４】
上記フォーカスサーボコイル２１およびトラッキングサーボコイル２２、２３は対物レンズ１６を軸線方向および横方向にそれぞれ移動調整するための移動調整手段を構成している。従ってこのような移動調整を可能にするために、可動部１２は固定部１１に対して移動調整可能に支持されなければならない。そこで可動部１２は左側の上部をばね部材３１、３２によって支持され、右側の上部をばね部材３３、３４によって支持され、さらに左側の下部をばね部材３５、３６によって支持され、右側の下部をばね部材３７、３８によって支持されている。
【００２５】
固定部１１と可動部１２とを連結する４つのばね部材３１〜３４は、図４に示すように上側のシート状部材４１の開口４３を打抜いて形成される。これに対して下側の４つのばね部材３５〜３８は図４に示す下側のシート状部材４２の開口４４を横切るようにして形成されている。すなわちシート状部材４１、４２をその厚さ方向に対して所定の距離離れた状態で配するとともに、これらのシート状部材４１、４２と一体に結合されるように固定部１１と可動部１２とをインサート成形することによって、固定部１１と可動部１２とに両端が結合された状態でばね部材３１〜３８の両端が固定部１１と可動部１２とに連結された状態になる。
【００２６】
このように本実施の形態の光ピックアップ装置は、可動部１２に対物レンズ１６が接着されるとともに、可動部１２にはさらにフォーカス方向とトラッキング方向の駆動手段となるフォーカスサーボコイル２１とトラッキングサーボコイル２２、２３とが取付けられる。また対物レンズ１６の下側に液晶素子２４が配され、給電を兼ねた支持手段であるばね部材３１〜３８の基端側が固定部１１に、先端側が可動部１２にそれぞれ成形されてつながっている。
【００２７】
図４はガラス繊維を混入した液晶ポリマの可動部１２、ばね部材３１〜３８、および同じくガラス繊維入りの液晶ポリマ製の固定部１１から構成される光ピックアップ装置のインサート成形直後の状態を示しており、ベリウム銅、りん青銅、ステンレス鋼板等の金属製のシート状部材４１、４２が金型内にインサートされて一体成形される。シート状部材４１、４２のそれぞれには金型位置固定用の外部フレーム部を介して開口４３、４４を横切るようにばね部材３１〜３４および３５〜３８が４本ずつ形成されている。なお光ピックアップ装置として使用する際には、その前にシート状部材４１、４２の外部フレーム部を切除する。
【００２８】
ばね部材３１〜３４の一端は、フォーカスサーボコイル２１およびトラッキングサーボコイル２２の４つの端子にそれぞれ半田付けされてこれらのコイル２１、２２の給電に使用する。またばね部材３６、３７の一端はフレキシブル基板を介して液晶素子２４の端子につながり、液晶素子２４に給電を行なう。またばね部材３１〜３８の他端は固定部１１側に固定された中継フレキシブル基板にそれぞれ半田付けされる。
【００２９】
２軸調整プレート１３は図２および図３に示すように固定部１１の底面に接着されるとともに、ねじ１４によって固定される。そして固定部１１の上面の２箇所に設けられた溝部２５、２６にばね部材３１、３２および３３、３４の架張空間がそれぞれ設けられる。また固定部１１の下側の２箇所の溝部２７、２８にも同様にばね部材３５、３６および３７、３８の架張空間が設けられる。固定部１１に対して対物レンズ１６とコイル２１、２２とが搭載される可動部１２はばね部材３１〜３８を介して固定部１１に片持ちされることになる。そしてばね部材３１〜３４のダンピング用紫外線硬化型ゲルから成るダンパ材が溝部２５〜２８に充填される。
【００３０】
磁性材料によって製作されたヨーク１９には前後一対のマグネット１７、１８が接着されて磁気回路を形成する。従ってばね部材３１、３２に通電を行なうとフォーカスサーボコイル２１に電流が流れ、対物レンズ１６を光ディスクの情報トラックに対してフォーカス方向、すなわち軸線方向に駆動できる。またばね部材３３、３４に通電すると、トラッキングサーボコイル２２に電流が流れて対物レンズ１６が横方向に移動調整される。
【００３１】
図６はとくにばね部材３１〜３４を開口４３を横切るように打抜いて形成したシート状部材４１を示している。また図７はばね部材３５〜３８を開口４４を横切るように形成したシート状部材４２を示している。これら２枚のシート状部材４１、４２を図４に示すように上下に所定の間隔を隔てて互いに平行に配し、インサート成形するとシート状部材４１、４２上に固定部１１と可動部１２とが成形される。図８はとくインサート成形後におけるシート状部材４１の形状を示しており、ここではシート状部材４１と固定部１１と可動部１２との位置関係を示している。これに対して図９は下側のシート状部材４２と固定部１１と可動部１２の相互の位置関係を示している。
【００３２】
上記のようなインサート成形の後にシート状部材４１、４２の周縁部であって金型によって保持される外周縁の部分を切除することにより、図３に示すようにばね部材３１〜３８によって互いに連結された状態で固定部１１と可動部１２とがインサート成形される。そしてこのような成形後に図５に示す貫通穴４５を形成すると、シート状部材４１、４２の配線部分を互いに分断することができる。従ってシート状部材４１、４２が成形前においてはばらばらにならず一体に連結された状態でインサート成形を行なうことが可能になる。そしてこのようなインサート成形後において、上記シート状部材４１、４２を打抜いた後にその端部であって固定部側に端子４７が形成され、可動部側に端子４８が形成される。
【００３３】
図１０はこのようなシート状部材４１、４２をインサート成形するとともに、各部品を固定部１１と可動部１２に取付けた光ピックアップ装置の制御系を示したものであって、この制御系は光ディスク６５の記録面を検出する光検出器５１を備えるとともに、この光検出器５１の検出出力をコントローラ５２に入力している。コントローラ５２は液晶ドライバ５３、フォーカスコイルドライバ５４、トラッキングコイルドライバ５５をそれぞれ制御するようになっている。そして液晶ドライバ５３によって液晶パネル２４が、フォーカスコイルドライバ５４によってフォーカスサーボコイル２１が、トラッキングコイルドライバ５５によってトラッキングサーボコイル２２がそれぞれ制御される。
【００３４】
次に上記液晶素子２４による屈折率の補正について説明する。液晶素子２４から成るパネルは、屈折率異方性を持つ液晶分子が所定の向きに配向されている。そして互いに対向する一対の電極の内の一方の電極に形成される図１２に示すような同心円状の電極６１、６２、６３によって、屈折率の補正を行なうことにより、波面収差を吸収するようにしている。なお電極６１、６２、６３が形成されている基板とは反対側の基板は、その全面に共通の電極が形成される。
【００３５】
このような構成の液晶素子２４の各電極６１、６２、６３にそれぞれ駆動電圧を印加すると、印加される電圧による電界に従って液晶分子の配向が偏倚される。一般に液晶に印加される電圧と屈折率の関係は図１１に示されるように、印加電圧が増大すると屈折率が増大する。これは液晶素子２４を通過する光束の進行方向に垂直な断面内で屈折率分布を任意に設定できることを意味し、光束の波面の位相を図１２に示す電極６１〜６３の分割領域毎に制御できることになる。よって図１２に示すような液晶パネル２４によって屈折率可変手段を構成することが可能になる。
【００３６】
通常対物レンズ１６によって光ディスク６５の記録面に照射されるレーザビームは円形のビームスポットであり、波面収差も半径方向に変化する。そして層間厚みが大きくなると図１２Ａに示すように半径方向にピークを持つ同心円状の波面収差が発生する。このような波面収差を生ずる場合に、液晶素子２４の一方のガラス基板６０に電極６１、６２、６３を同心円状に形成し、このような電極６１、６２、６３に図１２Ｂに示すような電圧を印加する制御を行なうと、図１２Ａに示す波面収差が補正されて図１２Ｃに示すようにその収差の値が大幅に低減される。これによって光ビームスポットの径を小さく絞ることが可能になり、高密度記録に対応できるようになる。本実施の形態の光ピックアップ装置はこのような液晶素子２４を可動部１２の対物レンズ１６の下側に配しているために、これによってとくに波面収差量を小さくすることが可能な光ピックアップ装置が提供される。
【００３７】
以上本願に含まれる発明を図示の実施の形態によって説明したが、本願に含まれる発明は上記実施の形態によって限定されることなく、本願に含まれる発明の技術的思想の範囲内で各種の変更が可能である。例えば上記実施の形態は、２枚のシート状部材４１、４２にそれぞれ４本ずつのばね部材を形成しておき、このような状態でインサート成形によって固定部１１と可動部１２とを成形しているが、シート状部材４１、４２によって形成されるばね部材の数は必ずしも上記実施の形態によって限定されることなく、３本ずつであってもよく、あるいはまた５本以上であってもよい。また液晶素子２４のガラス基板６０に形成される電極の数をより多く形成し、これによってよりきめ細かに屈折率の補正を行なうようにすることも可能である。
【００３８】
【発明の効果】
本願の主要な発明は、ディスク状記録媒体の記録面上に光ビームを集光させるための対物レンズを備えた可動部を、ばね部材を介して固定部によって弾性的に支持する光ピックアップ装置において、同一平面上に３本以上のばね部材を配したものである。
【００３９】
従ってこのような光ピックアップ装置によれば、同一平面上の３本以上のばね部材によって可動部が固定部によって弾性的に支持されるとともに、同一平面上の３本以上のばね部材によって可動部に設けられている制御手段に対する給電を行なうことが可能になり、可動部に屈折率補正手段を設けるとともに、このような屈折率補正手段に対する給電を行なうことが可能になる。
【００４０】
製造方法に関する主要な発明は、開口部を横切るように３本以上のばね部材が打抜かれて形成された金属製のシート状部材のばね部材に対して両側に固定部と可動部とをインサート成形し、成形後にシート状部材の余分の部分を切除するようにしたものである。
【００４１】
従ってこのような光ピックアップの製造方法によれば、シート状部材上にインサート成形することによって固定部と可動部とが形成されるとともに、シート状部材の余分の部分を切除することによって可動部が固定部によってばね部材で弾性的に支持された光ピックアップ装置を効率的にかつ高精度に製造することが可能になる。
【図面の簡単な説明】
【図１】光ピックアップ装置の外観斜視図である。
【図２】同下側から見た外観斜視図である。
【図３】同光ピックアップ装置の分解斜視図である。
【図４】光ピックアップ装置の固定部と可動部とをインサート成形した直後の状態の外観斜視図である。
【図５】シート状部材の余分な部分を切除した状態の平面図である。
【図６】上側のシート状部材の平面図である。
【図７】下側のシート状部材の平面図である。
【図８】固定部と可動部とをインサート成形した状態における上側のシート状部材の平面図である。
【図９】固定部と可動部とをインサート成形した状態の下側のシート状部材の平面図である。
【図１０】光ピックアップ装置の制御系を示すブロック図である。
【図１１】屈折率の補正のための液晶素子による屈折率の変化の状態を示すグラフである。
【図１２】波面収差を補正する動作を示すグラフである。
【図１３】従来の光ピックアップ装置の外観斜視図である。
【符号の説明】
１‥‥対物レンズ、２‥‥フォーカスサーボコイル、３‥‥トラッキングサーボコイル、４‥‥ボビン、５‥‥可動部、６‥‥ばね部材、７‥‥固定部、１１‥‥固定部、１２‥‥可動部、１３‥‥２軸調整プレート、１４‥‥ねじ、１６‥‥対物レンズ、１７‥‥マグネット（前）、１８‥‥マグネット（後）、１９‥‥ヨーク、２１‥‥フォーカスサーボコイル、２２‥‥トラッキングサーボコイル（前）、２３‥‥トラッキングサーボコイル（後）、２４‥‥液晶素子、２５〜２８‥‥溝部、３１〜３８‥‥ばね部材、４１‥‥シート状部材（上）、４２‥‥シート状部材（下）、４３、４４‥‥開口、４５‥‥貫通穴、４７‥‥端子（固定部側）、４８‥‥端子（可動部側）、５１‥‥光検出器、５２‥‥コントローラ、５３‥‥液晶ドライバ、５４‥‥フォーカスコイルドライバ、５５‥‥トラッキングコイルドライバ、６０‥‥ガラス基板、６１〜６３‥‥電極、６５‥‥光ディスク
【図１】
2005004826.tif 000003
【図２】
2005004826.tif 000004
【図３】
2005004826.tif 000005
【図４】
2005004826.tif 000006
【図５】
2005004826.tif 000007
【図６】
2005004826.tif 000008
【図７】
2005004826.tif 000009
【図８】
2005004826.tif 000010
【図９】
2005004826.tif 000011
【図１０】
2005004826.tif 000012
【図１１】
2005004826.tif 000013
【図１２】
2005004826.tif 000014
【図１３】
2005004826.tif 000015